(57)【要約】  本携帯通信端末装置は、地局から受信した信号のＳＩＲを測定する第一装置と、目標ＳＩＲを決定する第二装置と、前記第一装置により測定されたＳＩＲと前記目標ＳＩＲとを比較し、その比較結果に基づいてＴＰＣ情報を生成する第三装置と、を備え、前記ＴＰＣ情報は前記基地局が前記携帯通信端末装置に信号を送信する際の信号送信電力を制御するために使用され、前記ＴＰＣ情報は、前記携帯通信端末装置から前記基地局へ送信される信号とともに、前記基地局へ送信される。前記第二装置は、呼接続用信号が予め定められた時間の間に前記基地局から受信されず、かつ、前記携帯通信端末装置と前記基地局との間の通信品質がしきい値品質以上である場合には、前記目標ＳＩＲを下げる。【選択図】    図１
2008527764.tif 000002
【特許請求の範囲】
【請求項１】
基地局から受信した信号のＳＩＲを測定する第一装置と、
目標ＳＩＲを決定する第二装置と、
前記第一装置により測定されたＳＩＲと前記目標ＳＩＲとを比較し、その比較結果に基づいてＴＰＣ情報を生成する第三装置と、
を備える携帯通信端末装置であって、
前記ＴＰＣ情報は前記基地局が前記携帯通信端末装置に信号を送信する際の信号送信電力を制御するために使用され、
前記ＴＰＣ情報は、前記携帯通信端末装置から前記基地局へ送信される信号とともに、前記基地局へ送信され、
前記第二装置は、呼接続用信号が予め定められた時間の間に前記基地局から受信されず、かつ、前記携帯通信端末装置と前記基地局との間の通信品質がしきい値品質以上である場合には、前記目標ＳＩＲを下げるものである携帯通信端末装置。
【請求項２】
前記基地局から受信した信号を復号し、復号された信号に対してＣＲＣ演算を行う第四装置をさらに備え、
前記第二装置は、前記ＣＲＣ演算の演算結果に基づいて、前記通信品質が前記しきい値品質以上であるか否かを判定するものであることを特徴とする請求項１に記載の携帯通信端末装置。
【請求項３】
前記第二装置は、前記予め定められた時間の間にＣＲＣ−ＮＧが起きなかった場合には、前記通信品質が前記しきい値品質以上であると判定するものであることを特徴とする請求項２に記載の携帯通信端末装置。
【請求項４】
前記基地局から受信した信号を復号し、前記信号に付加されたシーケンス番号に脱落があるか否かを判定する第四装置をさらに備え、
前記第二装置は、その判定結果に基づいて、前記通信品質が前記しきい値品質以上であるか否かを判定するものであることを特徴とする請求項１に記載の携帯通信端末装置。
【請求項５】
携帯通信端末装置における送信電力制御を行う方法であって、
（ａ）基地局から受信した信号のＳＩＲを測定する過程と、
（ｂ）測定されたＳＩＲと目標ＳＩＲとを比較し、その比較結果に基づいて、前記基地局が前記携帯通信端末装置に信号を送信する際の信号送信電力を制御するために使用されるＴＰＣ情報を生成する過程と、
（ｃ）前記携帯通信端末装置から前記基地局へ送信される信号とともに、前記ＴＰＣ情報を前記基地局に送信する過程と、
（ｄ）呼接続用信号が予め定められた時間の間に前記基地局から受信されず、かつ、前記携帯通信端末装置と前記基地局との間の通信品質がしきい値品質以上である場合には、前記目標ＳＩＲを下げる過程と、
を備える方法。
【請求項６】
（ｅ）前記基地局から受信した信号を復号する過程と、
（ｆ）復号された信号に対してＣＲＣ演算を行う過程と、
をさらに備え、
前記通信品質は、前記ＣＲＣ演算の演算結果に基づいて、前記しきい値品質以上であるか否かが判定されることを特徴とする請求項５に記載の方法。
【請求項７】
前記予め定められた時間の間にＣＲＣ−ＮＧが起きなかった場合には、前記通信品質が前記しきい値品質以上であると判定されることを特徴とする請求項６に記載の方法。
【請求項８】
前記基地局から受信した信号を復号する過程と、
前記信号に付加されたシーケンス番号に脱落があるか否かを判定する過程と、
をさらに備え、
前記通信品質が前記しきい値品質以上であるか否かは、上記の判定の結果に基づいて、判定されることを特徴とする請求項５に記載の方法。
【請求項９】
携帯通信端末装置における送信電力制御を行う方法をコンピュータに実施させるプログラムであって、前記プログラムによって前記コンピュータが行う処理は、
（ａ）基地局から受信した信号のＳＩＲと目標ＳＩＲとを比較し、その比較結果に基づいて、前記基地局が前記携帯通信端末装置に信号を送信する際の信号送信電力を制御するために使用されるＴＰＣ情報を生成する処理と、
（ｂ）前記携帯通信端末装置から前記基地局へ送信される信号とともに、前記ＴＰＣ情報を前記基地局に送信する処理と、
（ｃ）呼接続用信号が予め定められた時間の間に前記基地局から受信されず、かつ、前記携帯通信端末装置と前記基地局との間の通信品質がしきい値品質以上である場合には、前記目標ＳＩＲを下げる処理と、
からなるものであるプログラム。
【請求項１０】
前記コンピュータが行う処理は、
（ｄ）前記基地局から受信した信号を復号する処理と、
（ｅ）復号された信号に対してＣＲＣ演算を行う処理と、
をさらに備え、
前記通信品質は、前記ＣＲＣ演算の演算結果に基づいて、前記しきい値品質以上であるか否かが判定されることを特徴とする請求項９に記載のプログラム。
【請求項１１】
前記予め定められた時間の間にＣＲＣ−ＮＧが起きなかった場合には、前記通信品質が前記しきい値品質以上であると判定されることを特徴とする請求項１０に記載のプログラム。
【請求項１２】
前記コンピュータが行う処理は、
（ｄ）前記基地局から受信した信号を復号する処理と、
（ｅ）前記信号に付加されたシーケンス番号に脱落があるか否かを判定する処理と、
をさらに備え、
前記通信品質が前記しきい値品質以上であるか否かは、上記の判定の結果に基づいて、判定されることを特徴とする請求項９に記載のプログラム。
【発明の詳細な説明】
【技術分野】
【０００１】
本発明は携帯通信端末装置及び携帯通信端末装置における送信電力制御（ＴＰＣ）の実行方法に関する。
【背景技術】
【０００２】
近年、無線通信システムにおいて広く使用されるようになっているＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：  広帯域符号分割多重接続）方式においては、全てのチャネルにおいて同一の周波数が使用されるため、通信チャネルが他の通信チャネルと干渉することが多々起きる。そのような干渉量はチャネル容量（回線容量）を決める大きな要因である。
【０００３】
チャネル容量（回線容量）の観点からは、チャネル容量（回線容量）を大きくするために、基地局が携帯通信端末装置に信号を送信するための送信電力はできるだけ小さくすることが好ましい。
【０００４】
しかしながら、送信電力を強制的に低下させると、呼接続成功率の低下やデータの再送信の多発などの問題が生じる。
【０００５】
このような問題を解決するため、例えば、特開平０９−００９３５２号公報は、携帯通信端末装置が基地局に信号を送る際の送信電力の増幅レベルを制御する携帯通信端末装置を提案している。具体的には、送信電力を予め定められた期間内のみ増大させることにより、携帯通信端末装置が基地局から大きな効率の下に呼を受信することができるとともに、消費電力量の削減を可能にしている。
【特許文献１】特開平０９−００９３５２号公報
【発明の開示】
【発明が解決しようとする課題】
【０００６】
しかしながら、上記公報に提案されている携帯通信端末装置は、当該携帯通信端末装置が基地局に信号を送信するときの送信電力のみを制御するものとして構成されており、基地局が当該携帯通信端末装置に信号を送信するときの送信電力の制御は行わない。
【０００７】
携帯通信端末装置における通信品質は、干渉信号の電力と受信信号の電力との比率であるＳＩＲ（Ｓｉｇｎａｌ  ｔｏ  Ｉｎｔｅｒｆｅｒｅｎｃｅ  Ｒａｔｉｏ）に依存する。このため、基地局が大きな送信電力が携帯通信端末装置に信号を送信しても、干渉信号の電力も大きい場合には、通信品質は悪化する。このように、携帯通信端末装置が基地局に信号を送信する際の送信電力の増幅レベルに対してのみ制御を行ったとしても、所望の通信品質を確保することができるとは限らない。
【０００８】
さらに、上記の従来の携帯通信端末装置には、目標ＳＩＲの値が大きな値に設定された場合、移動通信網の回線容量に対する負荷が大きくなり、一つの基地局に収容可能な携帯通信端末装置の数が少なくなるという問題点を包含している。
【０００９】
一方、目標ＳＩＲの値が小さな値に設定された場合には、基地局と携帯通信端末装置との間の接続の確立に失敗したり、あるいは、呼接続用信号であるＤＣＣＨ（Ｄｅｄｉｃａｔｅｄ  Ｃｏｎｔｒｏｌ  ＣＨａｎｎｅｌ）データの再送により基地局と携帯通信端末装置との間の接続の確立に必要な時間が長くなる、などの問題点が生じる。
【００１０】
従来の携帯通信端末装置における上記の問題点に鑑みて、本発明は、移動端末網における回線容量に対する負荷を軽減し、さらに、呼接続成功率の劣化を防止することができる携帯通信端末装置を提供することを目的とする。
【００１１】
本発明は、さらに、移動端末網における回線容量に対する負荷を軽減し、さらに、呼接続成功率の劣化を防止することができる、携帯通信端末装置における送信電力制御の実行方法を提供する。
【００１２】
本発明は、さらに、上記の実行方法をコンピュータに実施させるプログラムを提供することを目的とする。
【課題を解決するための手段】
【００１３】
本発明は、基地局から受信した信号のＳＩＲを測定する第一装置と、目標ＳＩＲを決定する第二装置と、前記第一装置により測定されたＳＩＲと前記目標ＳＩＲとを比較し、その比較結果に基づいてＴＰＣ情報を生成する第三装置と、を備える携帯通信端末装置であって、前記ＴＰＣ情報は前記基地局が前記携帯通信端末装置に信号を送信する際の信号送信電力を制御するために使用され、前記ＴＰＣ情報は、前記携帯通信端末装置から前記基地局へ送信される信号とともに、前記基地局へ送信され、前記第二装置は、呼接続用信号が予め定められた時間の間に前記基地局から受信されず、かつ、前記携帯通信端末装置と前記基地局との間の通信品質がしきい値品質以上である場合には、前記目標ＳＩＲを下げるものである携帯通信端末装置を提供する。
【００１４】
本携帯通信端末装置は、前記基地局から受信した信号を復号し、復号された信号に対してＣＲＣ演算を行う第四装置をさらに備えることができる。この場合、前記第二装置は、前記ＣＲＣ演算の演算結果に基づいて、前記通信品質が前記しきい値品質以上であるか否かを判定する。
【００１５】
前記第二装置は、例えば、前記予め定められた時間の間にＣＲＣ−ＮＧが起きなかった場合には、前記通信品質が前記しきい値品質以上であると判定する。
【００１６】
本携帯通信端末装置は、前記基地局から受信した信号を復号し、前記信号に付加されたシーケンス番号に脱落があるか否かを判定する第四装置をさらに備えることができる。この場合、前記第二装置は、その判定結果に基づいて、前記通信品質が前記しきい値品質以上であるか否かを判定する。
【００１７】
本発明は、さらに、携帯通信端末装置における送信電力制御を行う方法であって、（ａ）基地局から受信した信号のＳＩＲを測定する過程と、（ｂ）測定されたＳＩＲと目標ＳＩＲとを比較し、その比較結果に基づいて、前記基地局が前記携帯通信端末装置に信号を送信する際の信号送信電力を制御するために使用されるＴＰＣ情報を生成する過程と、（ｃ）前記携帯通信端末装置から前記基地局へ送信される信号とともに、前記ＴＰＣ情報を前記基地局に送信する過程と、（ｄ）呼接続用信号が予め定められた時間の間に前記基地局から受信されず、かつ、前記携帯通信端末装置と前記基地局との間の通信品質がしきい値品質以上である場合には、前記目標ＳＩＲを下げる過程と、を備える方法を提供する。
【００１８】
本方法は、（ｅ）前記基地局から受信した信号を復号する過程と、（ｆ）復号された信号に対してＣＲＣ演算を行う過程と、をさらに備えることができる。この場合、前記通信品質は、前記ＣＲＣ演算の演算結果に基づいて、前記しきい値品質以上であるか否かが判定される。
【００１９】
例えば、前記予め定められた時間の間にＣＲＣ−ＮＧが起きなかった場合には、前記通信品質が前記しきい値品質以上であると判定される。
【００２０】
本方法は、前記基地局から受信した信号を復号する過程と、前記信号に付加されたシーケンス番号に脱落があるか否かを判定する過程と、をさらに備えることができる。この場合、前記通信品質が前記しきい値品質以上であるか否かは、上記の判定の結果に基づいて、判定される。
【００２１】
本発明は、さらに、携帯通信端末装置における送信電力制御を行う方法をコンピュータに実施させるプログラムであって、前記プログラムによって前記コンピュータが行う処理は、（ａ）基地局から受信した信号のＳＩＲと目標ＳＩＲとを比較し、その比較結果に基づいて、前記基地局が前記携帯通信端末装置に信号を送信する際の信号送信電力を制御するために使用されるＴＰＣ情報を生成する処理と、（ｂ）前記携帯通信端末装置から前記基地局へ送信される信号とともに、前記ＴＰＣ情報を前記基地局に送信する処理と、（ｃ）呼接続用信号が予め定められた時間の間に前記基地局から受信されず、かつ、前記携帯通信端末装置と前記基地局との間の通信品質がしきい値品質以上である場合には、前記目標ＳＩＲを下げる処理と、からなるものであるプログラムを提供する。
【００２２】
前記コンピュータが行う処理は、（ｄ）前記基地局から受信した信号を復号する処理と、（ｅ）復号された信号に対してＣＲＣ演算を行う処理と、をさらに備えることができる。この場合、前記通信品質は、前記ＣＲＣ演算の演算結果に基づいて、前記しきい値品質以上であるか否かが判定される。
【００２３】
例えば、前記予め定められた時間の間にＣＲＣ−ＮＧが起きなかった場合には、前記通信品質が前記しきい値品質以上であると判定される。
【００２４】
前記コンピュータが行う処理は、（ｄ）前記基地局から受信した信号を復号する処理と、（ｅ）前記信号に付加されたシーケンス番号に脱落があるか否かを判定する処理と、をさらに備えることができる。この場合、前記通信品質が前記しきい値品質以上であるか否かは、上記の判定の結果に基づいて、判定される。
【発明の効果】
【００２５】
本発明により得られる効果を以下に説明する。
【００２６】
本発明によれば、呼接続用信号が予め定められた時間の間に基地局から受信されず、かつ、本携帯通信端末装置と基地局との間の通信品質がしきい値品質以上である場合には、目標ＳＩＲを下げる処理が行われる。次いで、このように下げられた目標ＳＩＲに基づいて決定された送信電力制御情報と、測定されたＳＩＲとが基地局に送信される。このように、本携帯通信端末装置と基地局との間で通信状態が確立された後にのみ、最適な目標ＳＩＲが決定される。従って、基地局は、本携帯通信端末装置と基地局との間で通信状態が確立される前に送信電力を低減させることなく、さらに、ＤＣＣＨ（Ｄｅｄｉｃａｔｅｄ  Ｃｏｎｔｒｏｌ  ＣＨａｎｎｅｌ）データの再送に起因して基地局と携帯通信端末装置との間の通信状態の確立に必要な時間が延長することなく、収容可能な携帯通信端末装置の数を増やすことができる。その結果として、移動端末網における回線容量に対する負荷を軽減することができ、さらに、呼接続成功率の劣化を防止することができる。
【発明を実施するための最良の形態】
【００２７】
以下、図面を参照して、本発明の好適な実施例を説明する。
【００２８】
［第一の実施例］
図１は本発明の第一の実施例に係る携帯通信端末装置１０のブロック図である。
【００２９】
携帯通信端末装置１０は、アンテナ１７と、アンテナ１７を介して基地局から無線信号を受信するとともに、基地局に無線信号を送信し、受信した無線信号を電気信号に変換し、さらに、送信する電気信号を無線信号に変換する信号処理部１１と、信号処理部１１から受信した信号を復調し、あるいは、送信する信号を変調した後、この変調信号を信号処理部１１に送るモデム（変調／復調器）１２と、モデム１２において復調された信号を復号し、さらに、送信する信号を符号化した後、符号化した信号をモデム１２に送る符号／復号器１３と、モデム１２において復調された信号に基づいて、ＳＩＲを計算するＳＩＲ測定装置１４と、符号／復号器１３において復号された信号に基づいて、目標ＳＩＲを決定する目標ＳＩＲ制御装置１５と、ＳＩＲ測定装置１４により計算されたＳＩＲと目標ＳＩＲ制御装置１５により決定された目標ＳＩＲとに基づいて、基地局が携帯通信端末装置１０に無線信号を送信する際の送信電力を制御するために用いられるＴＰＣ（Ｔｒａｎｓｍｉｓｓｉｏｎ  Ｐｏｗｅｒ  Ｃｏｎｔｒｏｌ）ビットを決定するＴＰＣ制御装置１６と、を備えている。
【００３０】
符号／復号器１３において符号化された信号はモデム１２において変調され、次いで、信号処理部１１において無線信号に変換される。次いで、この無線信号はアンテナ１７を介して基地局に送信される。
【００３１】
図２は目標ＳＩＲ制御装置１５のブロック図である。
【００３２】
図２に示すように、目標ＳＩＲ制御装置１５は、中央処理装置（ＣＰＵ）２０と、第一記憶装置２１と、第二記憶装置２２と、命令及び／またはデータを中央処理装置２０に入力するための入力インターフェイス２３と、中央処理装置２０により実行された処理の結果を出力するための出力インターフェイス２４と、を備えている。
【００３３】
第一記憶装置２１及び第二記憶装置２２の各々は、リード・オンリー・メモリー（ＲＯＭ）、ランダム・アクセス・メモリー（ＲＡＭ）、ＩＣメモリーカードその他の半導体記憶装置、または、フレキシブルディスク、ハードディスク、光学的磁気装置その他の記憶装置からなる。本実施例においては、第一記憶装置２１はＲＯＭからなり、第二記憶装置２２はＲＡＭからなる。
【００３４】
第一記憶装置２１は目標ＳＩＲを決定するためのプログラムを内蔵している。第二記憶装置２２は種々のデータ及びパラメータを内蔵している。中央処理装置２０は第一記憶装置２１からプログラムを読み出し、そのプログラムを実行する。すなわち、中央処理装置２０は第一記憶装置２１に内蔵されているプログラムに従って作動する。
【００３５】
図３は、携帯通信端末装置１０によって実行される各過程を示すフローチャートである。
【００３６】
以下、図３を参照して、携帯通信端末装置１０の動作を説明する。
【００３７】
先ず、携帯通信端末装置１０と基地局との間の接続を確立するため、ステップＳ１において、携帯通信端末装置１０が発呼される。
【００３８】
次いで、携帯通信端末装置１０と基地局との間の接続が確立されると、目標ＳＩＲ制御装置１５は、ステップＳ２において、記憶装置（図示せず）から初期目標ＳＩＲとしての目標ＳＩＲを読み出す。
【００３９】
次いで、ステップＳ３において、このようにして読み出された目標ＳＩＲに対する制御が行われる。
【００４０】
図４Ａ及び図４Ｂは、携帯通信端末装置１０が目標ＳＩＲの制御を行う際に実行する過程の一例を示すフローチャートである。
【００４１】
以下、目標ＳＩＲに対する制御の一例を図４Ａ及び図４Ｂを参照して説明する。
【００４２】
図４Ａに示すように、先ず、ステップＳ１１において、基地局から送信されてきた無線信号がアンテナ１７を介して信号処理部１１において受信される。
【００４３】
受信された無線信号は、ステップＳ１２において、電気信号に変換される。
【００４４】
この電気信号は、ステップＳ１３において、信号処理部１１からモデム１２に出力される。
【００４５】
ステップＳ１４においてこの電気信号を信号処理部１１から受信すると、モデム１２は、ステップＳ１５において、この信号を変調する。
【００４６】
モデム１２は、ステップＳ１６において、変調した信号を符号／復号器１３及びＳＩＲ測定装置１４の双方に送信する。
【００４７】
ステップＳ１７においてモデム１２からこの信号を受信すると、ＳＩＲ測定装置１４は、受信した信号に基づいて、ステップＳ１８において、ＳＩＲを計算する。ＳＩＲ測定装置１４は、ステップＳ１９において、計算したＳＩＲをＴＰＣ制御装置１６に送信する。
【００４８】
ステップＳ２０においてモデム１２からこの信号を受信すると、符号／復号器１３は、ステップＳ２１において、受信した信号を復調する。
【００４９】
次いで、符号／復号器１３は、ステップＳ２２において、復調された信号がＤＣＣＨ（ｄｅｄｉｃａｔｅｄ  ｃｏｎｔｒｏｌ  ｃｈａｎｎｅｌ）データであるか否か、すなわち、接続確立のために使用される信号であるか否かを判定することにより、ＤＣＣＨデータが受信されているか否かをモニターするとともに、復号された信号に対してＣＲＣ（ｃｙｃｌｉｃ  ｒｅｄｕｎｄａｎｃｙ  ｃｈｅｃｋ）演算を行うことにより、携帯通信端末装置１０と基地局との間における通信の品質を判定する。
【００５０】
符号／復号器１３は、ステップＳ２２において、さらに、要求される通信品質を示すデータを復調した信号から抽出する。
【００５１】
次いで、符号／復号器１３は、ステップＳ２３において、ＤＣＣＨデータの受信状況及びＣＲＣ演算の結果を示すデータと、要求される通信品質を示すデータとを目標ＳＩＲ制御装置１５に送信する。
【００５２】
ＤＣＣＨデータの受信状況及びＣＲＣ演算の結果を示すデータと、要求される通信品質を示すデータとをステップＳ２４において符号／復号器１３から受信すると、目標ＳＩＲ制御装置１５は、ステップＳ２５において、受信したデータに基づいて、目標ＳＩＲを決定する。
【００５３】
図５は、携帯通信端末装置１０が目標ＳＩＲを決定する際に行う過程の一例を示すフローチャートである。
【００５４】
以下、図５を参照して、目標ＳＩＲの決定方法を説明する。
【００５５】
先ず、目標ＳＩＲ制御装置１５は、予め定められた時間内にＤＣＣＨデータのトランスポートブロック（ｔｒａｎｓｐｏｒｔ  ｂｌｏｃｋ）が受信されていないか否かを、符号／復号器１３から受信したＤＣＣＨデータの受信状況を示すデータに基づいて、ステップＳ４１において、判定する。
【００５６】
予め定められた時間内にＤＣＣＨデータのトランスポートブロックが受信されていると目標ＳＩＲ制御装置１５が判定した場合には（ステップＳ４１のＹＥＳ）、目標ＳＩＲ制御装置１５は携帯通信端末装置１０と基地局の間の接続は未だ確立されていないと判断し、携帯通信端末装置１０と基地局との間の接続処理の完了率の低下を避けるため、目標ＳＩＲ制御装置１５は、予め定められた時間内にＤＣＣＨデータのトランスポートブロックが受信されていないと判定するまで、予め定められた時間内にＤＣＣＨデータのトランスポートブロックが受信されていないか否かの判定を繰り返して行う。
【００５７】
上記の「予め定められた時間」は携帯通信端末装置１０内のメモリー（図示せず）に予め設定しておいてもよく、あるいは、アンテナ１７を介して信号処理部１１が受信するデータの中に挿入しておいてもよい。
【００５８】
予め定められた時間内にＤＣＣＨデータのトランスポートブロックが受信されていないと目標ＳＩＲ制御装置１５が判定した場合には（ステップＳ４１のＮＯ）、目標ＳＩＲ制御装置１５は、携帯通信端末装置１０と基地局の間の接続が確立されていると判断し、さらに、目標ＳＩＲ制御装置１５に入力されたＣＲＣ演算の結果に基づいて、ＤＣＣＨデータの受信状況をモニターした上記の「予め定められた時間」と同じ時間内において、トランスポートチャネルでＣＲＣ−ＮＧの発生があったか否かを判断する（ステップＳ４２）。
【００５９】
目標ＳＩＲ制御装置１５が、トランスポートチャネル内においてＣＲＣ−ＮＧの発生があったものと判断した場合には（ステップＳ４２のＹＥＳ）、目標ＳＩＲ制御装置１５は、ステップＳ４３において、所望の通信品質と実際の通信品質とに基づいて、目標ＳＩＲに対する通常の制御を行う。
【００６０】
図６は、予め定められた時間内にＣＲＣ−ＮＧの発生があったものと判断された場合に実行される過程を示すタイミングチャートである。
【００６１】
図６において、「予め定められた時間」はＴ１として示されている。目標ＳＩＲ制御装置１５が、予め定められた時間Ｔ１の間にＤＣＣＨデータのトランスポートブロックは受信されていないが、予め定められた時間Ｔ１内にＣＲＣ−ＮＧの発生があったものと判断した場合には、所望の通信品質と実際の通信品質とに基づいて通常のＳＩＲ制御が行われているにもかかわらず、ＣＲＣ−ＮＧの発生があったことから、目標ＳＩＲ制御装置１５は、通信品質は悪い、すなわち、通信品質は予め定められたしきい値品質よりも低いと判断する。
【００６２】
目標ＳＩＲ制御装置１５が、トランスポートチャネル内においてＣＲＣ−ＮＧの発生がなかったものと判断した場合には（ステップＳ４２のＮＯ）、目標ＳＩＲ制御装置１５は、通信品質は良い、すなわち、通信品質は予め定められたしきい値品質よりも高いと判断する。これにより、目標ＳＩＲ制御装置１５は、ステップＳ４４において、目標ＳＩＲを予め定められた程度だけ引き下げる。
【００６３】
目標ＳＩＲの予め定められた程度は携帯通信端末装置１０内のメモリー（図示せず）に予め設定しておいてもよく、あるいは、初期目標ＳＩＲを設定するときにそのメモリー内に入力しておくこともできる。
【００６４】
図７は、予め定められた時間内にＣＲＣ−ＮＧの発生がなかったものと判断された場合に実行される過程を示すタイミングチャートである。
【００６５】
図７において、「予め定められた時間」はＴ１として示されている。目標ＳＩＲ制御装置１５が、予め定められた時間Ｔ１の間にＤＣＣＨデータのトランスポートブロックは受信されておらず、予め定められた時間Ｔ１内にＣＲＣ−ＮＧの発生がなかったものと判断した場合には、目標ＳＩＲ制御装置１５は、通信品質は良い、すなわち、通信品質は予め定められたしきい値品質と等しいか、あるいは、しきい値品質よりも高いと判断する。
【００６６】
このため、図７に示すように、目標ＳＩＲ制御装置１５は、ステップＳ４４において、目標ＳＩＲをδＳＩＲだけ引き下げる。
【００６７】
このようにして、ステップＳ４３及びＳ４４において行われた目標ＳＩＲ制御に従って、目標ＳＩＲが決定される（ステップＳ４５）。
【００６８】
このようにして決定された目標ＳＩＲは、ステップＳ２６において、目標ＳＩＲ制御装置１５からＴＰＣ制御装置１６に出力される。
【００６９】
図４Ｂを参照すると、ＳＩＲ測定装置１４から出力されるＳＩＲ及び目標ＳＩＲ制御装置１５から出力される目標ＳＩＲを受信すると（ステップＳ２７）、ＴＰＣ制御装置１６は、受信したＳＩＲを受信した目標ＳＩＲと比較し、この比較結果に基づいて、ＴＰＣビットを生成する（ステップＳ２８）。ＴＰＣビットは、基地局が携帯通信端末装置１０に無線信号を送信する際の送信電力の制御に使用される。
【００７０】
ＳＩＲ測定装置１４から出力されるＳＩＲが目標ＳＩＲ制御装置１５から出力される目標ＳＩＲよりも小さい場合には、ＴＰＣ制御装置１６は、基地局が携帯通信端末装置１０に無線信号を送信する際の送信電力を増加させるＴＰＣビットを生成する。逆に、ＳＩＲ測定装置１４から出力されるＳＩＲが目標ＳＩＲ制御装置１５から出力される目標ＳＩＲ以上である場合には、ＴＰＣ制御装置１６は、基地局が携帯通信端末装置１０に無線信号を送信する際の送信電力を減少させるＴＰＣビットを生成する。
【００７１】
ＴＰＣ制御装置１６はこのＴＰＣビットを符号／復号器１３に送信する（ステップＳ２９）。
【００７２】
ステップＳ３０においてＴＰＣ制御装置１６からＴＰＣビットを受信すると、符号／復号器１３は、受信したＴＰＣビットを上り信号に付加し、この上り信号を符号化する（ステップＳ３１）。次いで、符号／復号器１３は、符号化した上り信号をモデム１２に出力する（ステップＳ３２）。
【００７３】
ステップＳ３３において符号／復号器１３から上り信号を受信すると、モデム１２はこの上り信号を変調し（ステップＳ３４）、次いで、変調した上り信号を信号処理部１１に送信する（ステップＳ３５）。
【００７４】
ステップＳ３６においてモデム１２から上り信号を受信すると、信号処理部１１はこの上り信号、すなわち、電気信号を無線信号に変換する（ステップＳ３７）。
【００７５】
次いで、信号処理部１１はこの無線信号をアンテナ１７を介して基地局に送信する（ステップＳ３８）。
【００７６】
［第二の実施例］
上述の第一の実施例においては、目標ＳＩＲ制御装置１５は、ＣＲＣ演算を実行することにより、通信品質が良いか悪いかを判定するように構成されていた。
【００７７】
第二の実施例においては、目標ＳＩＲ制御装置１５は、通信品質が良いか悪いか、すなわち、通信品質がしきい値品質以上であるか、あるいは、しきい値品質より低いかを、基地局からの受信信号に付加されたシーケンス番号に脱落があるか否かを判定することにより、判定する。
【００７８】
図８Ａは、基地局から送信された信号に付加されたシーケンス番号の一例を示し、図８Ｂは、脱落があるシーケンス番号の一例を示している。
【００７９】
図８Ａに示すように、基地局から受信した信号が、何の脱落もなく、全てのシーケンス番号を有している場合には、目標ＳＩＲ制御装置１５は、通信品質が良い、すなわち、通信品質がしきい値品質以上であると判定する。このため、図７に示すように、あるいは、図５のステップＳ４４に示すように、目標ＳＩＲをδＳＩＲだけ引き下げる。
【００８０】
図８Ｂに示すように、基地局から受信した信号のシーケンス番号に脱落がある場合には（図８Ｂにおいては、シーケンス番号４と７とが脱落している）、目標ＳＩＲ制御装置１５は、通信品質が悪い、すなわち、通信品質がしきい値品質未満であると判定する。このため、図６に示すように、目標ＳＩＲ制御装置１５は目標ＳＩＲを引き上げる。
【図面の簡単な説明】
【００８１】
【図１】本発明の第一の実施例に係る携帯通信端末装置のブロック図である。
【図２】目標ＳＩＲ制御装置のブロック図である。
【図３】図１に示した携帯通信端末装置が実行する各過程を示すフローチャートである。
【図４Ａ】目標ＳＩＲが制御された場合に図１に示した携帯通信端末装置が実行する過程の一例を示すフローチャートである。
【図４Ｂ】図４Ａに示した各過程に続けて行われる過程を示すフローチャートである。
【図５】目標ＳＩＲが決定された場合に図１に示した携帯通信端末装置が実行する過程の一例を示すフローチャートである。
【図６】予め定められた時間内にＣＲＣ−ＮＧが生じたと判定されたときに実行される各過程を示すタイミングチャートである。
【図７】予め定められた時間内にＣＲＣ−ＮＧが生じなかったと判定されたときに実行される各過程を示すタイミングチャートである。
【図８Ａ】基地局から送信される信号に付加されたシーケンス番号の一例を示す図である。
【図８Ｂ】脱落があるシーケンス番号の一例を示す図である。
【図１】
2008527764.tif 000003
【図２】
2008527764.tif 000004
【図３】
2008527764.tif 000005
【図４Ａ】
2008527764.tif 000006
【図４Ｂ】
2008527764.tif 000007
【図５】
2008527764.tif 000008
【図６】
2008527764.tif 000009
【図７】
2008527764.tif 000010
【図８Ａ】
2008527764.tif 000011
【図８Ｂ】
2008527764.tif 000012
【国際調査報告】
2008527764.tif 000013